(57)【要約】【課題】電路に漏電電流が流れているときに、それを検出して報知することを可能ならしめる漏電遮断機能を有する電子ブレーカーを提供することを課題とする。【解決手段】負荷への電路に過電流又は漏電電流が流れたときに電路に流れる電流を遮断するために、電路に流れる電流の大きさを検出する変流器と、変流器の出力電流を受信して過電流の有無を判定する過電流判定手段と、過電流判定手段の出力信号を受信して電路を開閉する接点を駆動する引き外し回路とを具備して形成される電子ブレーカーであって、更に電路に流れる漏電電流を検出する漏電検出手段と、前記漏電検出手段の出力信号に基づいて外部に報知する出力装置と、を付加した。【選択図】図１
2009093891.tif 000002
【特許請求の範囲】
【請求項１】
負荷への電路に過電流又は漏電電流が流れたときに電路に流れる電流を遮断するために、電路に流れる電流の大きさを検出する変流器と、変流器の出力電流を受信して過電流の有無を判定する過電流判定手段と、過電流判定手段の出力信号を受信して電路を開閉する接点を駆動する引き外し回路とを具備して形成される電子ブレーカーであって、更に電路に流れる漏電電流を検出する漏電検出手段と、前記漏電検出手段の出力信号に基づいて外部に報知する出力装置と、を付加したことを特徴とする漏電遮断機能を有する電子ブレーカー。
【発明の詳細な説明】
【技術分野】
【０００１】
本発明は漏電遮断機能を有する電子ブレーカー、より詳細には、定格電力に応じた最適な電力供給を行なう漏電遮断機能を有する電子ブレーカーに関するものである。
【背景技術】
【０００２】
従来より、過電流を検出して通電を遮断するブレーカーが用いられている。特に、電子ブレーカーとして、電子回路を組み合わせて接点を引き外すために、３相３線式の電路と、電路に流れる電流を検出する変流器と、変流器の出力電流を受信して過電流の有無を判定する過電流判定手段と、過電流判定手段の出力信号を受信して電路を開閉する接点を駆動する引き外し回路とから成る構成のものがある。ここにおける過電流判定手段は、演算部を有するものである。
【０００３】
この構成においては、電路の交流電流を変流器で検出し、過電流判定手段で過電流であると判定したときに、引き外し回路に出力信号を送信して、接点の引き外しを行なう。
【０００４】
このような構成の電子ブレーカーは、電力会社との契約に着目した低圧電力の基本使用料金を削減するものとして市販されているが、それは、漏電検出手段を備えていないという問題を有するものであった。
【０００５】
【特許文献１】実公昭６２−４１５３８号公報
【発明の開示】
【発明が解決しようとする課題】
【０００６】
本発明は、上記問題点を解決するためになされたものであり、電路に漏電電流が流れているときに、それを検出して報知することを可能にしつつ、定格容量に応じた最大限の電力を安定して供給することが可能な漏電遮断機能を有する電子ブレーカーを提供することを課題とする。
【課題を解決するための手段】
【０００７】
上記課題を解決するための請求項１に記載の発明は、負荷への電路に過電流又は漏電電流が流れたときに電路に流れる電流を遮断するために、電路に流れる電流の大きさを検出する変流器と、変流器の出力電流を受信して過電流の有無を判定する過電流判定手段と、過電流判定手段の出力信号を受信して電路を開閉する接点を駆動する引き外し回路とを具備して形成される電子ブレーカーであって、更に電路に流れる漏電電流を検出する漏電検出手段と、前記漏電検出手段の出力信号に基づいて外部に報知する出力装置と、を付加したことを特徴とする漏電遮断機能を有する電子ブレーカーである。
【発明の効果】
【０００８】
本発明に係る漏電遮断機能を有する電子ブレーカーは、漏電を検出して、それが存在する場合には外部に光及び／又は音声にて報知することにより、電子ブレーカーを設置している所で電路に漏電電流が流れていることを居住者に知らしめることができるので、漏電電流に対して迅速且つ的確に対処でき、最大限の電力を安定して供給可能な漏電遮断機能を有する電子ブレーカーを提供できる。
【発明を実施するための最良の形態】
【０００９】
本発明を実施するための最良の形態について、添付図面に依拠して説明する。図１は本発明に係る漏電遮断機能を有する電子ブレーカーの内部構成を示すブロック図である。電子ブレーカーは、装置に電力を供給する幹線に接続され、この幹線の最大電流を制限する。
【００１０】
そして、図１に示すように、電路１、変流器（電流検出センサー）２、過電流判定手段３、漏電検出手段４、漏電判定手段５、引き外し回路、接点、出力装置６を主要構成部としている。
【００１１】
電路１は電子ブレーカーを接続するものであり、図１では３相３線式の場合を示しているが、電路１はこれに限定されるものではない。変流器２は、電路１に流れる電流を検出して交流電流を過電流判定手段３に出力するものである。変流器２は、電路１が３相３線式のため、３個用いている。
【００１２】
過電流判定手段３は、変流器２の出力電流を受信して過電流の有無を判定するものであり、演算部によって構成される。演算部は、主にマイクロコンピュータで構成される。
【００１３】
漏電検出手段４は、零相変流器等で形成されて電路１を流れる漏電電流を検出するものであり、漏電電流に比例する出力電流を漏電判定手段５に出力する。漏電判定手段５は、漏電検出手段４の出力電流を受信して漏電の有無を判定するものであり、図示しない演算部により構成されている。
【００１４】
引き外し回路は、図示していないが、過電流判定手段３又は漏電判定手段５の出力信号を受信して接点に駆動信号を出力する。接点は、図示していないが、引き外し回路の駆動信号を受信し、それに基づいて電路１を開閉する。
【００１５】
出力装置６は、過電流判定手段３又は漏電判定手段５の出力信号に基づいて外部に報知信号を出力する。その手段としては、アラームやＬＥＤの点灯、あるいは接点信号として外部に出力する方法等がある。また、実行値そのものが必要な場合は、液晶ディスプレイ等で直接、値を表示させたり、通信機能を使って外部で値を表示させたりすることもできる。
【００１６】
次に、本発明の動作について説明する。まず、過電流検知について説明する。変流器２で電路１に流れる電流を検出し、過電流判定手段３で所定の基準値と比較して、その基準値を越えたかどうかを判定する。そして、基準値を越えた場合には、過電流と判断して、引き外し回路より駆動信号を出力し、接点を開閉する。
【００１７】
また、漏電検知の場合は、漏電検出手段４で電路１に流れる漏電電流を検出し、漏電判定手段５で漏電の有無を判定し、漏電と判定した場合には、引き外し回路より駆動信号を出力し、接点を開閉する。
【００１８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００１９】
【図１】本発明に係る漏電遮断機能を有する電子ブレーカーの内部構成を示すブロック図である。
【符号の説明】
【００２０】
１    電路
２    変流器
３    過電流判定手段
４    漏電検出手段
５    漏電判定手段
６    出力装置
【図１】
2009093891.tif 000003